(57)【特許請求の範囲】
【請求項１】
第１基準信号および第２基準信号を発生する発生手段と、電圧制御発振器の出力信号を各々分周し、第１帰還信号を出力する第１可変分周器および第２帰還信号を出力する第２可変分周器と、前記第１帰還信号と前記第１基準信号を入力し位相比較する第１位相比較器と、排除手段を介して前記第２帰還信号を入力すると共に前記第２基準信号を入力し、前記第２帰還信号と前記第２基準信号とを位相比較する第２位相比較器と、を有し、
前記排除手段は、第１帰還信号がＬｏ信号であり、かつ第２帰還信号がＬｏ信号の時に、Ｌｏ信号を出力し、前記第１帰還信号がＬｏ信号であり、かつ前記第２帰還信号ｆｐがＨｉ信号の時に、Ｈｉ信号を出力し、前記第１帰還信号ＦＰ１がＨｉ信号であり、かつ前記第２帰還信号ｆｐがＬｏ信号の時に、Ｌｏ信号を出力し、前記第１帰還信号がＨｉ信号であり、かつ第２帰還信号がＨｉ信号の時に、Ｌｏ信号を出力する、ことを特徴とするＰＬＬ回路。
【請求項２】
前記発生手段は、位相が異なる複数の基準信号を発生させ、前記基準信号の１つが前記第１基準信号であり、その他の（ｎ−１）個の前記基準信号を加算したものが前記第２基準信号である事を特徴とする請求項１のＰＬＬ回路。
【発明の詳細な説明】
【０００１】
【発明の属する技術分野】
本発明はＰＬＬ回路に関する。
【０００２】
【従来の技術】
従来、この種の回路は例えば「ＳＡＮＹＯ  ＴＥＣＨＮＩＣＡＬ  ＲＥＶＩＥＷ」、ＶＯＬ．１０、ＮＯ．１、ＦＥＢ．１９７８の第３２頁に示されている。しかし、この回路は、位相比較器１段型（位置比較器を１段しか用いないもの）であり、基準信号の１周期中に、位相比較を１回しか行わないので、ロックアップ時間（出力信号に同期する迄の時間）が短い第１の欠点がある。
【０００３】
この欠点を解消するために、特開平１０−１３５８２２号公報が提案されている。この公報によると、位相が互いに異なる複数の基準信号を発生する発生手段と、電圧制御発振器の出力信号を分周する複数（例えば４個）の分周器と、各分周器の帰還信号と各基準信号を比較する複数の位相比較器が設けられている。
【０００４】
【発明が解決しようとする課題】
しかし上記公報の回路では、電力消費量が大きい第２の欠点がある。本発明者が、その原因を究明したところ、複数の分周器を設けているためである事が分った。また、ロックアップ時間を更に短縮するため、基準信号の１周期中に１６回位相比較をするならば、１６個の分周器が必要となり電力消費量が更に大きくなる。
【０００５】
また、比較的、多くのスペースを必要とする分周器を複数個用いるので、装置が大きくなり、コストが高くなり、ＬＳＩ化が困難となる第３の欠点がある。
【０００６】
本出願人は、これらの欠点を解消するために、特願２０００−７６２５０にて出願している、この出願によると、２個の可変分周器４、９が各々、第１帰還信号と第２帰還信号を出力している。しかし、これらの帰還信号が共に出力している間は、これらの帰還信号が入力される位相比較器の出力が邪魔し合い、ロック外れ（位相同期しつつある出力信号が、急に、設定周波数から外れる事）が生ずる第４の欠点が有る。
【０００７】
故に、本発明はこの様な従来の欠点を考慮し、ロックアップ時間が短い、電力消費量が少ない、コストが安くＬＳＩ化し易い、ロック外れが起こらない、ＰＬＬ回路を提供する。
【０００８】
【課題を解決するための手段】
本発明はこのような課題を解決する為のものであり、請求項１記載の発明は、  第１基準信号および第２基準信号を発生する発生手段と、電圧制御発振器の出力信号を各々分周し、第１帰還信号を出力する第１可変分周器および第２帰還信号を出力する第２可変分周器と、前記第１帰還信号と前記第１基準信号を入力し位相比較する第１位相比較器と、排除手段を介して前記第２帰還信号を入力すると共に前記第２基準信号を入力し、前記第２帰還信号と前記第２基準信号とを位相比較する第２位相比較器と、を有し、前記排除手段は、第１帰還信号がＬｏ信号であり、かつ第２帰還信号がＬｏ信号の時に、Ｌｏ信号を出力し、前記第１帰還信号がＬｏ信号であり、かつ前記第２帰還信号ｆｐがＨｉ信号の時に、Ｈｉ信号を出力し、前記第１帰還信号ＦＰ１がＨｉ信号であり、かつ前記第２帰還信号ｆｐがＬｏ信号の時に、Ｌｏ信号を出力し、前記第１帰還信号がＨｉ信号であり、かつ第２帰還信号がＨｉ信号の時に、Ｌｏ信号を出力する、ことを特徴とする。
【０００９】
又、請求項２記載の発明は、請求項１記載のＰＬＬ回路であり、前記発生手段は、位相が異なる複数の基準信号を発生させ、前記基準信号の１つが前記第１基準信号であり、その他の（ｎ−１）個の前記基準信号を加算したものが前記第２基準信号である事を特徴とする。
【００１３】
【発明の実施の形態】
以下に、図１と図２に従い、本発明の実施の形態に係るＰＬＬ回路１を説明する。図１はＰＬＬ回路１のブロック図、図２はＰＬＬ回路１に用いられる各信号のタイムチャートである。
【００１４】
これらの図において、発生手段２は例えば、基準発振器ＯＳＣと、固定分周器Ｍと、リング式カウンタＲＩＣとオアゲート３等から成る。固定分周器Ｍは例えば分周比６４で分周するものであり、基準発振器ＯＳＣとリング式カウンタＲＩＣとの間に接続されている。固定分周器Ｍは、基準発振器ＯＳＣが出力する信号（発振周波数が例えば２５．６ＭＨｚ）を６４分周した信号（周波数が４００ＫＨｚ）を、リング式カウンタＲＩＣへ出力する。
【００１５】
リング式カウンタＲＩＣは例えば、１６個のフリップフロップ（図示せず）が接続されたものであり、上記４００ＫＨｚの信号の入力に応じて、１６個の基準信号ＦＲ１〜ＦＲ１６を出力する。
【００１６】
基準信号ＦＲ２は基準信号ＦＲ１の１／１６周期だけ、基準信号ＦＲ１より遅延する。同様に、基準信号ＦＲＡ（Ａは２から１６までの整数）は、（Ａ−１）／１６周期だけ、基準信号ＦＲ１より遅延する。この様にして、基準信号ＦＲ１〜ＦＲ１６の各基準周波数は、４００ＫＨｚ÷１６＝２５ＫＨｚであり、所望のチャンネル・スペース（局間周波数）に一致する。上述の様に、発生手段２は、位相が異なる複数の基準信号ＦＲ１〜ＦＲ１６を発生する。
【００１７】
第１基準信号（基準信号）ＦＲ１は、第１位相比較器ＰＣ１の１入力側に入力される。基準信号ＦＲ２〜ＦＲ１６は各々、オアゲート３の入力側に入力され、オアゲート３の出力は第２位相比較器ＰＣ２の１入力側に入力される。即ち、１個の第１基準信号ＦＲ１は、第１位相比較器ＰＣ１に入力され、複数の基準信号ＦＲ２〜ＦＲ１６は、オアゲート３により加算され、その加算された第２基準信号ＦＲは、第２位相比較器ＰＣ２に入力される。この様に、発生手段２は、第１基準信号ＦＲ１および第２基準信号ＦＲを発生する。
【００１８】
第１可変分周器４は例えば、２係数プリスケラ５と、スワロカウンタＡ１と、コースカウンタＮ１等から構成されている。２係数プリスケラ５は例えば、分周数６４又は分周数６５の分周を行うものである。スワロカウンタＡ１には第１一致回路（図示せず）が接続され、コースカウンタＮ１には第２一致回路（図示せず）が接続されている。第１可変分周器４から出力されるロード信号Ｌ１は、スワロカウンタＡ１およびコースカウンタＮ１に印加されている。
【００１９】
例えば、使用者が設定周波数キー（図示せず）に於て、１．６５ＧＨｚを設定したとする。設定周波数キーに接続された制御部６（マイクロコンピュータ等から成る）は、第１可変分周器４の分周数Ｎを演算し、第１可変分周器４へ出力する。即ち、Ｎ＝１．６５×１０６ＫＨｚ÷２５ＫＨｚ＝６６０００となる（基準周波数が２５ＫＨｚだから）。即ち、第１可変分周器４は、設定周波数を基準周波数で割った値、分周数Ｎが設定される。
【００２０】
制御部６は、上記分周数Ｎに基づいて、スワロカウンタＡ１の運転回数Ｋ１とコースカウンタＮ１の運転回数Ｋ２を演算し、設定する（例えばＫ１＝１６回、Ｋ２＝１０３１回）。この様に、第１可変分周器４をパルススワロカウンタにて構成分周数が２種類だけで切り替えられるので、伝搬遅延時間を小さくでき動作速度が向上する。
【００２１】
この様に、電圧制御発振器ＶＣＯの出力信号ＶＯをＮ分周された第１帰還信号ＦＰ１は、第１位相比較器ＰＣ１の他の入力側に入力される。
【００２２】
第１位相比較器ＰＣ１は、上記第１基準信号ＦＲ１と、上記第１帰還信号ＦＰ１を位相比較し、位相比較信号（ポンプアップ信号Ｕ１）と、位相比較信号（ポンプダウン信号Ｄ１）を第１チャージポンプＣＰ１へ出力する。即ち、第１位相比較器ＰＣ１は、１個の第１基準信号ＦＲ１と、第１可変分周器４が出力する１個の第１帰還信号ＦＰ１を位相比較する。
【００２３】
第１チャージポンプＣＰ１は、これらの位相比較信号Ｕ１、Ｄ１に基づき、誤差信号ＥＲ１を生成し、ローパスフィルタＬＰＦに対し、誤差信号ＥＲ１を出力する。
【００２４】
ローパスフィルタＬＰＦは、誤差信号ＥＲ１の高周波成分をカットした制御電圧ＣＶを生成し、電圧制御発振器ＶＣＯへ出力する。これらの、発生手段２と、第１位相比較器ＰＣ１と、第１チャージポンプＣＰ１と、ローパスフィルタＬＰＦと、電圧制御発振器ＶＣＯと、第１可変分周器４等により、第１ＰＬＬ周波数シンセサイザ７が構成されている。
【００２５】
第２可変分周器８は例えば、２係数プリスケラ９と、スワロカウンタＡ２とコースカウンタＮ２等から構成されている。２係数プリスケラ９は例えば、分周数３２または分周数３３の分周を行うものである。スワロカウンタＡ２には第１一致回路（図示せず）が接続され、コースカウンタＮ２には第２一致回路（図示せず）が接続されている。第２可変分周器８から出力されるロード信号Ｌ２は、スワロカウンタＡ２およびコースカウンタＮ２に印加されている。
【００２６】
上述の様に、第２可変分周器８に分周数Ｎが与えられている。複数の基準信号ＦＲ１〜ＦＲ１６の総数をｎとして、第２可変分周器８に対し、例えばＮ／ｎが与えられる（設定される）。この時、第２基準信号ＦＲは、（ｎ−１）個の基準信号ＦＲ２〜ＦＲ１６が加算されたものである。
【００２７】
例えばｎ＝１６個とするならば、制御部６は第２可変分周器８に対し、Ｎ／ｎ＝６６０００／１６＝４１２５を与える。制御部６は、上記分周数Ｎ／ｎに基づいて、スワロカウンタＡ１の運転回数Ｋ３と、コースカウンタＮ２の運転回数Ｋ４を演算し、設定する（例えば、Ｋ３＝２９回、Ｋ４＝１２８回）。
【００２８】
この様にして、第２可変分周器８は、電圧制御発振器ＶＣＯの出力信号ＶＯを分周数Ｎ／ｎ（例えば４１２５）にて分周し、１周期ＴＲ当り１６個のＨｉレベル信号（帰還信号）ｆｐ１、ＦＰ２〜ＦＰ１６から成る第２帰還信号ｆｐを出力する（図２参照）。
【００２９】
この様に、第２位相比較器ＰＣ２の１入力側には、発生手段２により発生した位相が異なる（ｎ−１）個の基準信号ＦＲ２〜ＦＲ１６を加算した第２基準信号ＦＲが入力される。
【００３０】
排除手段１４の入力側は、第１可変分周器４の出力側および第２可変分周器８の出力側に接続されている。排除手段１４の出力側は、第２位相比較器ＰＣ２の他の入力側に接続されている。
【００３１】
排除手段１４は例えば、ナンドゲート１５およびアンドゲート１６から成る論理回路により、構成されている。ナンドゲート１５の１入力側は、第１帰還信号ＦＰ１が入力され、他の入力側は、第２帰還信号ｆｐが入力される。
【００３２】
アンドゲート１６の１入力側は、ナンドゲート１５の出力が入力され、他の入力側は、第２帰還信号ｆｐが入力され、アンドゲート１６の出力は、第２位相比較器ＰＣ２の他の入力側に入力される。
【００３３】
上記排除手段１４は、第１帰還信号ＦＰ１がＬｏ信号であり、かつ第２帰還信号ｆｐがＬｏ信号の時に、Ｌｏ信号を出力する（これを第１状態と呼ぶ）。排除手段１４は、第１帰還信号ＦＰ１がＬｏ信号であり、かつ第２帰還信号ｆｐがＨｉ信号の時に、Ｈｉ信号を出力する（これを第２状態と呼ぶ）。
【００３４】
排除手段１４は、第１帰還信号ＦＰ１がＨｉ信号であり、かつ第２帰還信号ｆｐがＬｏ信号の時に、Ｌｏ信号を出力する（これを第３状態と呼ぶ）。排除手段１４は、第１帰還信号ＦＰ１がＨｉ信号であり、かつ第２帰還信号ｆｐがＨｉ信号の時に、Ｌｏ信号を出力する（これを第４状態と呼ぶ）。
【００３５】
この様に、第１帰還信号ＦＰ１が出力されている間（即ち、第１帰還信号ＦＰ１がＨｉ信号である時）、排除手段１４は、第２帰還信号ｆｐの出力ｆｐ１（即ち該信号ｆｐがＨｉ信号である事）を排除する。その結果、Ａ点とＢ点に於て、第３帰還信号ＦＰはＬｏ信号となる（図２参照）。
【００３６】
この様にして、第１帰還信号ＦＰ１がＨｉ信号である時、第２帰還信号ｆｐ１の出力をＬｏ信号に変換したものを、第３帰還信号ＦＰと呼ぶ（図２参照）。
【００３７】
また上記第２状態の様に、第１帰還信号ＦＰ１がＬｏ信号の時、第２帰還信号ｆｐがＨｉ信号であれば、排除手段１４は、Ｈｉ信号としての第２帰還信号ｆｐを出力させる。その結果、第３帰還信号ＦＰは、Ａ点、Ｂ点等（第１帰還信号ＦＰ１がＨｉ信号の時）に於てＬｏ信号となるが、その他の点では、第２帰還信号ｆｐと同一波形である。
【００３８】
この様にして、第２位相比較器ＰＣ２には、第２基準信号ＦＲと、第３帰還信号ＦＰが入力される（図１と図２を参照）。
【００３９】
第２位相比較器ＰＣ２は、第２基準信号ＦＲ（基準信号ＦＲ２〜ＦＲ１６を加算したもの）と、第３帰還信号ＦＰ（帰還信号ＦＰ２〜ＦＰ１６から成る）を各々位相比較し、位相比較信号（ポンプアップ信号Ｕ２）と、位相比較信号（ポンプダウン信号Ｄ２）を、第２チャージポンプＣＰ２へ出力する。
【００４０】
第２チャージポンプＣＰ２は、これらの位相比較信号Ｕ２、Ｄ２に基づき、誤差信号ＥＲ２を生成し、ローパスフィルタＬＰＦに対し、誤差信号ＥＲ２を出力する。
【００４１】
ローパスフィルタＬＰＦは、誤差信号ＥＲ２の高周波成分をカットした制御電圧ＣＶを生成し、電圧制御発振器ＶＣＯへ出力する。これらの発生手段２と、第２位相比較器ＰＣ２と、第２チャージポンプＣＰ２と、ローパスフィルタＬＰＦと、電圧制御発振器ＶＣＯと、第２可変分周器８と、排除手段１４等により、第２ＰＬＬ周波数シンセサイザ１０が構成されている。
【００４２】
ロック検出器１１は、第１可変分周器４が出力する第１帰還信号ＦＰ１と、第２基準信号ＦＲ１が入力される。ロック検出器１１は例えば、アンドゲートと抵抗等から成る公知のものである。このＰＬＬ回路１が立上る時（サーチ時）は、電圧制御発振器ＶＣＯの出力信号ＶＯの周波数は、設定周波数と異なるので、第１帰還信号ＦＰ１と第１基準信号ＦＲ１は同期がとれていない。従って、この時ロック検出器１１は制御部６に対しＬｏ信号（非同期検出信号）を出力する。
【００４３】
ＰＬＬ回路１がロックした時（例えば、上記出力信号ＶＯの周波数が設定周波数の±３００Ｈｚ以内になった時）、第１帰還信号ＦＰ１と第１基準信号ＦＲ１は殆んど同期されている。この時、ロック検出器１１は制御部６に対し、Ｈｉ信号（同期検出信号）を出力する。この状態を「定常時」と表現する。
【００４４】
制御部６の各出力端子は、各々、第２可変分周器８と、第２位相比較器ＰＣ２と、第２チャージポンプＣＰ２に電気的接続されている。なお、ロック検出器１１は、第１位相比較器ＰＣ１に付属させて設けても良く、又は、第１位相比較器ＰＣ１と一体的に設けても良い。以上の部品により、ＰＬＬ回路１は構成されている。
【００４５】
次に、図１と図２に従い、本ＰＬＬ回路１の動作を説明する。最初に、例えば使用者は設定周波数キーに於て、１．６５ＧＨｚを設定し、スタートキーを押したとする。
【００４６】
制御部６は第１可変分周器４に対し、分周数Ｎ＝６６０００を出力する。それと同時に、制御部６は第２可変分周器８に対し、Ｎ／ｎ＝６６０００／１６＝４１２５を出力する。
【００４７】
基準発振器ＯＳＣの信号２５．６ＭＨｚは固定分周器Ｍにより、４００ＫＨｚに分周され、発生手段２により、位相が異なる複数の基準信号ＦＲ１〜ＦＲ１６が出力される。基準信号ＦＲ１〜ＦＲ１６は、基準周波数が２５ＫＨｚであり、タイミングｔ１〜ｔ１６にて各々、立上っている（図２参照）。
【００４８】
第１可変分周器４は、電圧制御発振器ＶＣＯからの出力信号ＶＯを、分周数Ｎ＝６６０００にて分周し、第１帰還信号ＦＰ１を生成し、第１帰還信号ＦＰ１（図２参照）を、第１位相比較器ＰＣ１へ出力する。
【００４９】
第２可変分周器８は、出力信号ＶＯを、分周数Ｎ／ｎ＝４１２５にて分周し、第２帰還信号ｆｐを生成する。排除手段１４は、第１帰還信号ＦＰ１が出力されている間、第２帰還信号ｆｐの出力ｆｐ１を排除し、第２帰還信号ｆｐを第３帰還信号ＦＰに変換する。
【００５０】
第１位相比較器ＰＣ１は、第１基準信号ＦＲ１と第１帰還信号ＦＰ１を位相比較し、第１チャージポンプＣＰ１に対し、位相比較信号Ｕ１、Ｄ１を出力する。第１チャージポンプＣＰ１は、位相比較信号Ｕ１、Ｄ１に従い、ローパスフィルタＬＰＦに対し、誤差信号ＥＲ１を出力する。ローパスフィルタＬＰＦは、誤差信号ＥＲ１に従い、電圧制御発振器ＶＣＯに対し、制御電圧ＣＶを出力する。
【００５１】
次に、第２位相比較器ＰＣ２は、第２基準信号ＦＲと、第３帰還信号ＦＰを各々位相比較し、第２チャージポンプＣＰ２に対し、位相比較信号Ｕ２、Ｄ２を出力する。
【００５２】
第２チャージポンプＣＰ２は、上記位相比較信号に従い、ローパスフィルタＬＰＦに対し、誤差信号ＥＲ２を出力する。ローパスフィルタＬＰＦは、上記誤差信号ＥＲ２に従い、電圧制御発振器ＶＣＯに対し、制御電圧ＣＶを出力する。その結果、電圧制御発振器ＶＣＯから出力される出力信号ＶＯは、設定周波数に近づく。この様な、位相比較動作を繰り返す。
【００５３】
この構成により、第１基準信号ＦＲ１の１周期（ＴＲ）の間に、位相比較が１６回行われるため（図２参照）、従来の位相比較器１段型に比べて、ロックアップ時間（出力信号ＶＯが設定周波数に略同期するまでの時間）が、約１／１６倍に短縮される。
【００５４】
この様に、前記同期が検出されない場合（即ち、ロック検出器１１が制御部６に対し、Ｌｏ信号を出力しているサーチ時）、第１可変分周器４と、第１位相比較器ＣＰ１と、第１チャージポンプＣＰ１と、第２可変分周器８と、第２位相比較器ＣＰ２と、第２チャージポンプＣＰ２等は動作している。
【００５５】
この様にして、上記位相比較が繰返されると、出力信号ＶＯは、設定周波数に同期する。即ち、この時、出力信号ＶＯの周波数が、設定周波数の±３００Ｈｚ以内になる。この時（定常時）、ロック検出器１１は制御部６に対し、Ｈｉ信号（同期検出信号）を出力する。
【００５６】
定常時に、上記同期検出信号の入力により、制御部６は、第２可変分周器８を停止させ、第２位相比較器ＰＣ２を停止させ、第２チャージポンプＣＰ２を停止させる。
【００５７】
また、定常時に、制御部６は、第１可変分周器４のみの動作を継続させ、第１位相比較器ＰＣ１と第１チャージポンプＣＰ１の動作を継続させる。即ち、制御部６は、第１ＰＬＬ周波数シンセサイザ７の動作を継続させ、第２ＰＬＬ周波数シンセサイザ１０の動作を停止させる。
【００５８】
この様に、同期検出信号が入力されると（定常時）、制御部６は第１ＰＬＬ周波数シンセサイザ７の動作を継続させるので、分周、位相比較動作は正確に行われる。その結果、設定周波数１．６５ＧＨｚを持つ出力信号ＶＯを、安定して出力させる事ができる。
【００５９】
同期検出信号が入力されると（定常時）、制御部６は、第２可変分周器８と第２位相比較器ＰＣ２と、第２チャージポンプＣＰ２の運転を停止させる。その結果このＰＬＬ回路１の電力消費量は少なくなる。
【００６０】
【発明の効果】
請求項１の本発明では、第１基準信号および第２基準信号を発生する発生手段と、電圧制御発振器の出力信号を各々分周し、第１帰還信号を出力する第１可変分周器および第２帰還信号を出力する第２可変分周器と、前記第１帰還信号が出力されている間、前記第２帰還信号の出力を排除し、第３帰還信号に変換する排除手段とを具備する構成とする。上述の様に、第１帰還信号が出力されている間は、第２帰還信号の出力を排除するので、第１帰還信号が入力される第１位相比較器の位相比較出力と、第２帰還信号が入力される第２位相比較器の位相比較出力とが互いに邪魔し合う事がない。その結果、ロック外れ（位相同期しつつある出力信号ＶＯが、急に、設定周波数から外れる事）を防止する事ができる。
【００６１】
請求項２の本発明では、前記第１可変分周器は、分周数Ｎ（Ｎは設定周波数を基準周波数で割った値）が設定され、前記第２可変分周器は、分周数Ｎ／ｎ（ｎは３以上の整数）が設定される構成とする。この様に、第２可変分周器に対し、分周数Ｎ／ｎを設定するので、第２可変分周器は、第１基準信号の１周期の間に、複数個、すなわち（ｎ−１）個のＨｉレベル信号を出力する。また、第１可変分周器は、第１基準信号の１周期の間に、１個の第１帰還信号を出力する。その結果、位相比較器は、第１基準信号の１周期の間に、位相比較をｎ回（ｎは３以上の整数）行う事となり、ロックアップ時間が早くなる。また、上記１周期の間にｎ回位相比較させるのに、可変分周器を２個用いれば良い。その結果、従来に比べ、可変分周器の個数を減らせ、コストが安くなり、ＬＳＩ化がし易くなる。
【００６２】
請求項３の本発明では、前記発生手段は、位相が異なる複数の基準信号を発生させ、前記基準信号の１つが前記第１基準信号であり、その他の（ｎ−１）個の前記基準信号を加算したものが前記第２基準信号である構成とする。この様に、位相が異なる、（ｎ−１）個の基準信号を加算した第２基準信号が位相比較器へ入力されるので、第１基準信号１周期の間に、（ｎ−１）回の位相比較が正確なタイミングで行われる。また、この様に、（ｎ−１）個の基準信号を加算するので、回路構成を簡素化できる。
【００６３】
請求項４の本発明では、前記第１基準信号と前記第１帰還信号を位相比較する第１位相比較器と、前記第２基準信号と前記第３帰還信号を位相比較する第２位相比較器を設けた事を特徴とする請求項３のＰＬＬ回路。この様に、第１位相比較器は、複数の基準信号の１つである第１基準信号と、１個の第１帰還信号を位相比較するので、正確な位相比較が行える。その結果、定常時に、設定周波数に正確に一致する出力信号を出力できる。第２位相比較器は第２基準信号と、第３帰還信号（第１帰還信号の出力が排除されたもの）とを位相比較する。その結果第１位相比較器の出力と、第２位相比較器の出力が邪魔し合う事がなく、ロック外れを防止できる。
【００６４】
請求項５の本発明では、前記排除手段は、その入力側が前記第１可変分周器の出力側および前記第２可変分周器の出力側に接続され、その出力側が前記第２位相比較器の入力側に接続され、論理回路から成る構成とする。この様に、第１帰還信号が出力されている間、第２帰還信号の出力を排除する排除手段を論理回路にて構成するので、回路構成を簡素化できる。
【図面の簡単な説明】
【図１】本発明の実施の形態に係るＰＬＬ回路１のブロック図である。
【図２】上記ＰＬＬ回路１に用いられる各種信号のタイムチャートである。
【符号の説明】
２  発生手段
４  第１可変分周器
８  第２可変分周器
１４  排除手段
【図１】
0003869661.tif 000002
【図２】
0003869661.tif 000003